(57)【要約】【課題】再生時に、無駄なリトライを低減でき、且つ再生品質レベルの低下を軽減できる光ディスク記録再生装置を提供する。【解決手段】光ディスク記録再生装置は、光ディスクへの情報の記録中にエラーが発生した場合に、少なくともエラーアドレスとエラーコードとを含むエラー情報を記憶し、所定のタイミングで前記エラー情報を前記光ディスクの所定の領域に書き込み、情報の再生時に、前記エラー情報が前記光ディスクに書き込まれている場合には、前記エラーコードによって前記エラーアドレスで示される領域が再生可能か否かを判断して再生処理を行う。【選択図】図４
2008130115.tif 000002
【特許請求の範囲】
【請求項１】
ブルーレイディスクの情報の記録及び再生を行う光ディスク記録再生装置において、
前記ブルーレイディスクへの情報の記録中にエラーが発生した場合に、エラーアドレスとエラーコードとから成るエラー情報を記憶し、前記ブルーレイディスクへの情報の記録が完了した後に、前記エラー情報を、前記ブルーレイディスクのドライブ固有の情報を記録可能なドライブエリアに書き込み、
情報の再生時に、前記エラー情報が前記ブルーレイディスクに書き込まれている場合には、前記エラーコードによって前記エラーアドレスで示される領域が再生可能か否かを判断して再生処理を行うことを特徴とする光ディスク記録再生装置。
【請求項２】
光ディスクの情報の記録及び再生を行う光ディスク記録再生装置において、
前記光ディスクへの情報の記録中にエラーが発生した場合に、少なくともエラーアドレスとエラーコードとを含むエラー情報を記憶し、所定のタイミングで前記エラー情報を前記光ディスクの所定の領域に書き込み、
情報の再生時に、前記エラー情報が前記光ディスクに書き込まれている場合には、前記エラーコードによって前記エラーアドレスで示される領域が再生可能か否かを判断して再生処理を行うことを特徴とする光ディスク記録再生装置。
【請求項３】
前記所定のタイミングは、前記光ディスクへの情報の記録が完了した後であることを特徴とする請求項２に記載の光ディスク記録再生装置。
【請求項４】
前記光ディスクはブルーレイディスクであって、前記所定の領域はドライブ固有の情報を記録可能なドライブエリアであることを特徴とする請求項２又は３に記載の光ディスク記録再生装置。
【発明の詳細な説明】
【技術分野】
【０００１】
本発明は、光ディスクへの情報の記録及び光ディスクに記録される情報の再生を行う光ディスク記録再生装置に関する。
【背景技術】
【０００２】
近年、情報を大量に記録できる光ディスクが要求されている。そして、光ディスクの高密度化に関する研究が進み、大容量の情報（例えば、記録層が１層の場合でＤＶＤの約５倍の容量）を記録できるブルーレイディスク（以下、ＢＤと記載する。）が実用化されつつある。このＢＤには、メーカー側で情報が記録されてユーザ側では情報の書き換えができないＢＤ-ＲＯＭ、ユーザ側で情報を１回だけ記録できるＢＤ-Ｒ、ユーザ側で複数回の情報の書き換えが可能なＢＤ−ＲＥがある。
【０００３】
ＢＤ-ＲやＢＤ-ＲＥにＢＤレコーダを用いて情報の記録を行う場合、記録中にエラーが発生することがある。このようなエラーの発生に対して、従来の光ディスク（例えばＤＶＤ）においては特許文献１に示されるように、リニアプレースメントと呼ばれる交替処理の技術が用いられている。この交替処理の技術は、光ディスクに情報を記録する都度、記録した情報を読み出してチェックし、欠陥があればその欠陥領域とは別の予め用意された交替領域に情報を再度記録し、欠陥領域の物理アドレスと交替先の物理アドレスとを管理情報記録領域に記憶するものである。
【０００４】
ＢＤにおいても、欠陥管理処理（Defect Management）を使用して欠陥がある領域を別の領域（スペアエリア）に記録し直す機能を持っている。しかし、パソコンに備えるＢＤドライブの場合と異なり、ＢＤレコーダでは、リアルタイム性が重視されるために、記録時に欠陥がある領域を別の領域に記録し直すような余裕はない。このため、エラーが発生した位置をＤＭＡと呼ばれる欠陥管理領域に記録しておくだけで、スペアエリアへ情報を記録し直すことは行われない。
【０００５】
この場合、ＤＭＡにおいてはエラーが発生した位置を示すエラーアドレスを有するだけであるために、エラー要因まではわからず、エラーが発生した位置について訂正処理によって再生可能となるか否かを判断することは不可能であった。このため、エラーが発生した位置について、リトライを所定の複数回行って再生可能か否かを判断するか、再生を行わないでその位置を飛ばすという手法が採用されていた。
【０００６】
そして、前者の場合には、無駄なリトライ回数が増えるという問題があり、後者の場合には、訂正処理によって再生可能な位置まで再生せずにスキップすることになるために、再生品質を必要以上に劣化する可能性があった。
【特許文献１】特開２００１−２９７５２６号公報
【発明の開示】
【発明が解決しようとする課題】
【０００７】
以上の問題点を鑑みて、本発明の目的は、再生時に無駄なリトライを低減でき、再生品質レベルの低下を軽減できる光ディスク記録再生装置を提供することである。
【課題を解決するための手段】
【０００８】
上記目的を達成するために本発明は、ブルーレイディスクの情報の記録及び再生を行う光ディスク記録再生装置において、前記ブルーレイディスクへの情報の記録中にエラーが発生した場合に、エラーアドレスとエラーコードとから成るエラー情報を記憶し、前記ブルーレイディスクへの情報の記録が完了した後に、前記エラー情報を、前記ブルーレイディスクのドライブ固有の情報を記録可能なドライブエリアに書き込み、情報の再生時に、前記エラー情報が前記ブルーレイディスクに書き込まれている場合には、前記エラーコードによって前記エラーアドレスで示される領域が再生可能か否かを判断して再生処理を行うことを特徴としている。
【０００９】
また、上記目的を達成するために本発明は、光ディスクの情報の記録及び再生を行う光ディスク記録再生装置において、前記光ディスクへの情報の記録中にエラーが発生した場合に、少なくともエラーアドレスとエラーコードとを含むエラー情報を記憶し、所定のタイミングで前記エラー情報を前記光ディスクの所定の領域に書き込み、情報の再生時に、前記エラー情報が前記光ディスクに書き込まれている場合には、前記エラーコードによって前記エラーアドレスで示される領域が再生可能か否かを判断して再生処理を行うことを特徴としている。
【００１０】
また、本発明は、上記構成の光ディスク記録再生装置において、前記所定のタイミングは、前記光ディスクへの情報の記録が完了した後であることを特徴としている。
【００１１】
また、本発明は、上記構成の光ディスク記録再生装置において、前記光ディスクはブルーレイディスクであって、前記所定の領域はドライブ固有の情報を記録可能なドライブエリアであることを特徴としている。
【発明の効果】
【００１２】
本発明の第１の構成によれば、ブルーレイディスクの情報の記録及び再生を行う光ディスク記録再生装置は、ブルーレイディスクへの情報の記録中にエラーが発生した場合に、エラーアドレスとエラーコードとを記憶し、その後ＢＤに書き込むように構成されている。また、再生時に、ＢＤに書き込まれたエラーアドレスとエラーコードとに基づいてエラーアドレスで示される領域が再生可能か否かを判断して再生処理を行う構成となっている。このため、再生時に、訂正処理が不能な領域について必要以上にリトライを行わないようにできる。また、訂正処理が可能な領域について、スキップすることなく訂正処理を行って再生することが可能となる。従って、再生時に、無駄なリトライを低減でき、且つ再生品質レベルの低下を軽減できるＢＤレコーダを提供可能である。
【００１３】
また、記録中に発生したエラーのエラーコードをＢＤに書き込む構成であるために、記録中に発生したエラーの要因について特定可能となり、その後の装置開発の開発効率を向上する（デバック作業の効率化）という利点も有する。
【００１４】
更に、ＢＤにエラー情報を書き込むタイミングをＢＤへの情報の記録が完了した後としている。このため、ＢＤへの情報の記録中に、エラー情報も同時にＢＤに書き込むことはなく、情報の記録時にリアルタイム性が重視されるＢＤレコーダに対応可能である。また、記録中に発生したエラー情報をＢＤの所定の領域に複数回に分けて書き込むのではなく、ＢＤへの情報の記録が完了した後に一括して前記所定の領域にエラー情報を書き込む構成としている。このため、前記所定の領域への記録を複数回に分けて記録する構成としたために必要となる領域を発生せずに済み、前記所定の領域にできる限り多くの情報を書き込むことが可能となる。
【００１５】
また、本発明の第２の構成によれば、光ディスク記録再生装置は、光ディスクへの情報の記録中にエラーが発生した場合に、少なくともエラーアドレスとエラーコードとを記憶し、その後光ディスクに書き込むように構成されている。また、再生時に、光ディスクに書き込まれたエラーアドレスとエラーコードとに基づいて、エラーアドレスで示される領域が再生可能か否かを判断して再生処理を行う構成となっている。このため、再生時に、訂正処理が不能な領域について必要以上にリトライを行わないようにできる。また、訂正処理が可能な領域について、スキップすることなく訂正処理を行って再生することが可能となる。従って、再生時に、無駄なリトライを低減でき、且つ再生品質レベルの低下を軽減できる光ディスク記録再生装置を提供可能である。
【００１６】
また、記録中に発生したエラーのエラーコードを光ディスクに書き込む構成であるために、記録中に発生したエラーの要因について特定可能となり、その後の装置開発の開発効率を向上する（デバック作業の効率化）という利点も有する。
【００１７】
また、本発明の第３の構成によれば、上記第２の構成の光ディスク記録再生装置において、光ディスクにエラー情報を書き込むタイミングを光ディスクへの情報の記録が完了した後としている。このため、光ディスクへの情報の記録中に、エラー情報も同時に光ディスクに書き込むことはなく、情報の記録時にリアルタイム性が重視されるレコーダに対応可能である。また、記録中に発生したエラー情報を光ディスクの所定の領域に複数回に分けて書き込むのではなく、光ディスクへの情報の記録が完了した後に一括して前記所定の領域にエラー情報を書き込む構成としている。このため、前記所定の領域への記録を複数回に分けて記録する構成としたために必要となる領域を発生せずに済み、前記所定の領域にできる限り多くの情報を書き込むことが可能となる。
【００１８】
また、本発明の第４の構成によれば、上記第２又は第３の構成の光ディスク記録再生装置において、ブルーレイディスクのリードインエリアやリードアウトエリアに、規格上設けられることとなっており、ドライブ固有の情報を記録可能なドライブエリアに、エラー情報を書き込むこととなっている。このため、再生時に、無駄なリトライを低減でき、且つ再生品質レベルの低下を軽減できるＢＤレコーダを実現できる。
【発明を実施するための最良の形態】
【００１９】
以下、本発明の内容について実施形態を挙げ、図面を参照しながら詳細に説明する。ただし、ここで示す実施形態は一例であり、本発明はここに示す実施形態に限定されるものではない。
【００２０】
図１は、本発明が適用される光ディスク記録再生装置の構成を示すブロック図で、本実施形態の光ディスク記録再生装置は、ＢＤを記録再生可能なＢＤレコーダである。図１に示すようにＢＤレコーダ１は、光ディスク２０（例えばＢＤ-Ｒ、ＢＤ-ＲＥ）にデータ（情報）を書き込んだり、光ディスク２０からデータを読み出したりするフロントエンド２と、レコーダ全体としての処理を行うバックエンド３と、を備えている。
【００２１】
フロントエンド２には、図示しないチャック部にチャッキングされた光ディスク２０を回転駆動するためのスピンドルモータ４と、スピンドルモータ４によって回転駆動される光ディスク２０にレーザ光を照射して、信号の書き込みと読み取りとを可能とする光ピックアップ５と、光ピックアップ５が読み出した信号をバックエンド３における処理に適した信号に復調するデモジュレータ６と、バックエンド３から送られて後述する第１バッファ８を経由した信号を光ディスク２０への書き込みに適した信号に変調し、光ピックアップ５に信号を送出するモジュレータ７と、デモジュレータ６からの信号を受け取り一時的に蓄積し、バックエンド３との間で信号の受け渡しを行う第１バッファ８と、フロントエンド２の各部の制御を行う第１制御部９と、フロントエンド２で必要となる各種プログラムや各種データを記憶する第１メモリ１０と、が備えられている。
【００２２】
一方、バックエンド３には、アンテナ３０を介してテレビジョン放送信号を受信するチューナ１１と、チューナ１１が受信した放送信号をＭＰＥＧ（Moving Picture Experts Group）規格に準拠する信号に圧縮符号化するＭＰＥＧエンコーダ１２と、ＭＰＥＧエンコーダ１２によって圧縮符号化された信号を一時的に蓄積するとともに、フロントエンド２との間で信号の受け渡しを行う第２バッファ１３と、フロントエンド２から送られて第２バッファを経由した信号をＭＰＥＧで復号するＭＰＥＧデコーダ１４と、ＭＰＥＧデコーダ１４によって復号された信号をディスプレイ装置４０が出力可能なアナログ信号に変換するＤ／Ａコンバータ１５と、バックエンド３の各部の制御を行う第２制御部１６と、バックエンド３で必要となる各種プログラムやデータを記憶する第２メモリと、を備えている。
【００２３】
フロントエンド２の第１制御部９とバックエンド３の第２制御部１６とは、互いに各種の制御信号を送受信可能となるように接続されている。また、フロントエンド２の第１バッファ８とバックエンド３の第２バッファ１３とは、互いにＭＰＥＧエンコード信号を送受信可能となるように接続されている。
【００２４】
なお、チューナ１１は、デジタル放送に対応するものであっても、アナログ放送に対応するものであっても構わない。ただし、チューナ１１がアナログ放送に対応するものである場合には、チューナ１１が受信したアナログ信号をデジタル信号に変換するためのＡ／Ｄコンバータが必要となる。
【００２５】
また、ＢＤレコーダ１には、バックエンド３に対して、記録指示を与えるための記録キー、再生指示を与えるための再生キー、記録や再生の停止指示を与えるための停止キーなど、各種操作キーを有するリモコン（図示せず）や、このリモコンの操作キーよりも少ない操作キーを有する本体操作部（図示せず）等が備えられる。
【００２６】
図２は、光ディスク２０（ＢＤ−Ｒ又はＢＤ−ＲＥ）の中心部から外周部までの構造を示す模式図である。図２に示すように、ＢＤ−Ｒ又はＢＤ−ＲＥは、内周側のリードインエリア２１と、外周側のリードアウトエリア２２と、リードインエリア２１とリードアウトエリア２２とに挟まれるデータエリア２３と、を有している。
【００２７】
リードインエリア２１及びリードアウトエリア２２は、光ディスク２０の情報ないしデータの記録や読み取りを制御又は管理するための制御情報が記録される領域で、その領域内には、例えば、ドライブ固有の情報を記録できるドライブエリア２４や欠陥領域を管理するための図示しない欠陥管理領域（ＤＭＡ）等の複数の領域が存在している。また、データエリア２３は、画像データ、音声データ、コンテンツデータなど、主に再生の対象となるデータが記録される。
【００２８】
このように構成される光ディスク２０において、上述のようにドライブエリア２４は、規格上、ドライブ固有の情報を記録可能である。このため、ＢＤレコーダを製造するメーカーの設定により、この領域に書き込む情報を自由に設定することが可能である。本実施形態のＢＤレコーダ１においては、このドライブエリア２４に光ディスク２０への情報の記録時に発生するエラー情報を書き込む構成としている。
【００２９】
すなわち、ＢＤレコーダ１においては、光ディスク２０の記録中にエラーが発生した場合に、光ディスク２０上のエラーが発生した位置を示すエラーアドレスとエラーの内容を示すエラーコードとが、第１制御部９によって取得される。そして、これらがエラー情報として、一旦第１メモリ１０内に記憶された後に、最終的に光ディスク２０のドライブエリア２４に書き込まれるようになっている。
【００３０】
なお、エラーコードは、エラーの内容毎に予め割り当てられているコード番号であり、第１メモリ１０に内蔵されている解析プログラムによって、エラー発生時の状況（例えばレーザパワーの状況やサーボ誤差信号等のエラー信号の状況など）を第１制御部１０で解析処理して得る構成となっている。
【００３１】
このように、ＢＤレコーダ１においては、光ディスク２０への情報の記録中にエラーが発生した場合に、光ディスク２０のドライブエリア２４にエラーアドレスのみならずエラーコードをも記録する構成としている。このため、この光ディスク２０を再生する場合に、エラーコードを用いて訂正処理によって再生可能とできるか否かの判断が可能となる。また、光ディスク２０にエラーコードまで記録させることにより、光ディスク２０からこのエラー情報を読み取れば、光ディスク２０への情報の記録中に発生したエラー要因の特定を行えるために、ＢＤレコーダの開発効率の向上に繋げることも可能である。
【００３２】
次に、本実施形態のＢＤレコーダ１における、光ディスク２０（ＢＤ−Ｒ又はＢＤ−ＲＥ）への情報の記録中にエラーが発生した場合の処理について、図３のフローチャートを用いて説明する。バックエンド３から指令によりフロントエンド２（いずれも図１参照）によって光ディスク２０への情報の記録が開始されるが、まず、この記録を開始するか否かが確認される（ステップＳ１）。バックエンド３から記録の指令がなされると、光ピックアップ５によって光ディスク２０へのデータ（情報）の書き込みが開始される（ステップＳ２）。
【００３３】
このデータの書き込み中に、記録エラーが発生したか否かが、第１制御部９によって所定のタイミングで確認される（ステップＳ３）。この際、記録動作中にモニターされたレーザパワー情報や、記録動作中のフォーカスエラー信号やトラッキングエラー信号などのエラー検出結果に基づいて記録エラーの発生が判定される。
【００３４】
記録エラーが発生したと判定されると、エラーアドレスとエラーコードから成るエラー情報が第１メモリ１０に格納される（ステップＳ４）。この後、記録処理を終了するか否かが確認される（ステップＳ５）。なお、ステップＳ３において、記録エラーが発生していないと判定された場合にも、記録処理を終了するか否かが確認される。記録処理を終了しない場合には、ステップＳ２からステップＳ４が繰り返し行われる。
【００３５】
記録処理を終了する場合には、第１制御部９によってトレイエジェクト要求があったか否かが確認される（ステップＳ６）。トレイエジェクト要求があった場合には、第１制御部９からの命令により、第１メモリ１０に格納されたエラー情報が光ディスク２０のドライブエリア２４（図２参照）に書き込まれる（ステップＳ７）。エラー情報の光ディスク２０のドライブエリア２４への書き込みが終了したか否かが確認され（ステップＳ８）、書き込みが終了したと判断されると光ディスク２０への記録処理が終了する。
【００３６】
なお、以上に示した光ディスク２０への情報の記録中にエラーが発生した場合の処理については、トレイエジェクト要求があった場合に、ドライブエリア２４にエラー情報を書き込む構成となっているが、これに限定される趣旨ではなく、本発明の目的を逸脱しない範囲で種々の変更が可能である。すなわち、例えば、データの記録終了（本実施形態のステップＳ６）後であって、トレイイジェクト要求（本実施形態のステップＳ５）の前に、一括してエラー情報をドライブエリア２４に書き込む構成としても良い。また、第１メモリ１０に所定量のエラー情報が蓄積された段階でドライブエリア２４にエラー情報を書き込む構成等としても良い。ただし、一括してドライブエリア２４にエラー情報を書き込むのが好ましい。一括してエラー情報をドライブエリア２４に書き込む構成とすることにより、ドライブエリア２４の領域を無駄に減らさなくて済むからである。
【００３７】
次に、本実施形態のＢＤレコーダ１における、光ディスク２０の情報再生時の処理について、図４のフローチャートを用いて説明する。ＢＤレコーダ１に光ディスク２０が挿入されると、バックエンド３からのスピンアップ開始の指令が出され、光ディスク２０が回転して光ピックアップ５が所定の初期位置に設定される処理であるスピンアップが開始する（ステップＳ１１）。
【００３８】
スピンアップが開始されると、光ディスク２０の判別処理が第１制御部９によって行われる（ステップＳ１２）。光ディスク２０の判別処理方法は、例えばフォーカスエラー信号のＳ字波形を用いる方法等の公知の方法で行われる。光ディスク２０の判別により、光ディスク２０がＢＤ（ＢＤ−Ｒ又はＢＤ−ＲＥ）であるか否かが確認される（ステップＳ１３）。光ディスク２０がＢＤ（ＢＤ−Ｒ又はＢＤ−ＲＥ）であると判断された場合には、第１制御部９からの指令によりドライブエリア２４に書き込まれたエラー情報の読み出しが行われる（ステップＳ１４）。なお、読み出されたエラー情報は第１メモリ１０に格納される。
【００３９】
光ディスク２０がＢＤ（ＢＤ−Ｒ又はＢＤ−ＲＥ）でない場合には、ＢＤレコーダ１で再生不可能な光ディスクについては、例えばイジェクトされる。一方、ＢＤレコーダ１で再生可能な、例えばＢＤ−ＲＯＭのような光ディスク２０の場合には、一般にエラーアドレスとエラーコードとから成るエラー情報を有しないために、別の処理が行われる。なお、ここで言う別の処理は従来から行われる処理であるために、その説明は省略する。
【００４０】
その後、バックエンド３から光ディスク２０の再生を行うように指令があると、光ディスク２０の再生が開始される（ステップＳ１５）。光ディスク２０の再生が開始されると、第１制御部９によって、第１メモリ１０に格納されたエラー情報に基づいて、再生位置がエラーアドレスに該当するか否かが確認される（ステップＳ１６）。一方、エラーアドレスに該当しない場合には、その領域は再生可能であるために、そのままデータの読み出しが行われる（ステップＳ２１）。
【００４１】
再生位置がエラーアドレスの場合には、第１制御部９によってエラーアドレスと共に読み出されたエラーコードを用いて訂正処理等によって、その位置が再生可能か否かが判断される（ステップＳ１７）。エラーコードによって再生不可能なエラーと判断された場合には、バックエンド３に専用のコマンド（ベンダユニークコマンド）を用いてエラー情報を転送する（ステップＳ１９）。エラー情報を転送されと、バックエンド３の第２制御部１６は、その位置について再生不能と判断して読み出し要求を行わなくなり、その位置をスキップするように指令する。
【００４２】
一方、エラーコードによって再生可能と判断された場合には、そのまま、又は訂正処理が施されてデータの読み出しが行われる（ステップＳ２１）。なお、この場合に、訂正処理によって再生可能と判断された場合など、実際には訂正しても再生不能で複数回のリトライが繰り返される可能性がある。このような場合を想定して、リトライ回数が規定値を超えた場合には、再生不能と判断してそのアドレスについてスキップするように構成しても構わない。このようにすることにより、無駄なリトライを低減できる。
【００４３】
バックエンド３からの光ディスク２０の再生指令が終了するまでステップＳ１６〜ステップＳ１９が繰り返され、バックエンドから光ディスク２０の再生指令が終了すると、光ディスク２０の再生が終了する（ステップＳ２０）。
【００４４】
以上のようにＢＤレコーダ１においては、光ディスク２０への情報の記録中に発生したエラーについて、エラーアドレスとエラーコードから成るエラー情報を光ディスクへ書き込み可能である。そして、光ディスク２０を再生する場合に、エラー情報を用いて再生可能か否かの判断を行える構成となっている。従って、再生時に、無駄なリトライを低減でき、更に、訂正処理を行うことによって再生できる領域をスキップして再生品質が低下するのを軽減できる。
【００４５】
また、ＢＤレコーダ１においては、バックエンド３からの指令により、ベンダユニークコマンドによってフロントエンド２から光ディスク２０に書き込まれているエラー情報をバックエンド３に転送できる。このために、光ディスク２０への情報の記録時のエラー要因を特定でき、装置開発におけるデバッグ作業を効率化できる。
【００４６】
以上に示した実施形態においては、エラー情報としてエラーアドレスとエラーコードのみとしているが、これに限定される趣旨ではない。例えば、温度やレーザパワーに関する情報等をエラーアドレス及びエラーコードに加えて、エラー情報としても構わない。
【００４７】
また、以上に示した実施形態においては、フロントエンド２で、エラーコードに基づいて再生可能か否かを判断する構成としているが、これに限定されず、本発明の目的を逸脱しない範囲で変更可能である。例えば、フロントエンド２で光ディスク２０から読み出したエラー情報をバックエンド３に予め送り、バックエンド３にて再生可能か否かの判断を行って、それに基づいてバックエンド３からフロントエンド２に再生指令を送る構成等としても、もちろん構わない。
【００４８】
その他、以上においては、ＢＤを記録再生可能なＢＤレコーダの場合について示したが、必ずしもこれに限定されず、他の光ディスクの場合にも本発明は広く適用できることは言うまでもない。また、本実施形態では、記録層が単層であるＢＤを記録再生するＢＤレコーダの場合について説明したが、当然記録層が複数層であるＢＤを記録再生するＢＤレコーダにも本発明は適用できる。
【産業上の利用可能性】
【００４９】
本発明の光ディスク記録再生装置は、再生時に、無駄なリトライを低減でき、且つ再生品質レベルの低下を軽減できるために有用である。
【図面の簡単な説明】
【００５０】
【図１】は、本発明が適用される光ディスク記録再生装置（ＢＤレコーダ）の構成を示すブロック図である。
【図２】は、光ディスクの中心部から外周部までの構造を示す模式図である。
【図３】は、本実施形態のＢＤレコーダにおける、光ディスクへの情報の記録中にエラーが発生した場合の処理を示すフローチャートである。
【図４】は、本実施形態のＢＤレコーダにおける、光ディスクの情報再生時の処理を示したフローチャートである。
【符号の説明】
【００５１】
１          ＢＤレコーダ（光ディスク記録再生装置）
２０        光ディスク（ＢＤ）
２４        ドライブエリア
【図１】
2008130115.tif 000003
【図２】
2008130115.tif 000004
【図３】
2008130115.tif 000005
【図４】
2008130115.tif 000006